【手続補正書】
【提出日】平成23年11月7日(2011.11.7)
【手続補正１】
【補正対象書類名】特許請求の範囲
【補正対象項目名】全文
【補正方法】変更
【補正の内容】
【特許請求の範囲】
【請求項１】
電子データを表示している表示手段を撮像装置によって撮像した撮像画像及び前記表示手段に表示している電子データを外部装置に出力する画像配信装置であって、
前記撮像画像中の指定された領域内を指す第１の指標を前記撮像装置にて撮像された前記撮像画像から検出する指標検出手段と、
前記外部装置に前記撮像画像を出力している状態において前記指標検出手段が前記第１の指標を検出した場合に前記電子データを前記外部装置に出力する画像出力手段とを有することを特徴とする画像配信装置。
【請求項２】
電子データを表示している表示手段を撮像装置によって撮像した撮像画像及び前記表示手段に表示している電子データを外部装置に出力する画像配信装置であって、
前記電子データに表示される第２の指標を検出する指標検出手段と、
前記外部装置に前記撮像画像を出力している状態において前記指標検出手段が前記第２の指標を検出した場合に前記電子データを前記外部装置に出力する画像出力手段とを有することを特徴とする画像配信装置。
【請求項３】
電子データを表示している表示手段を撮像装置によって撮像した撮像画像及び前記表示手段に表示している電子データを外部装置に出力する画像配信装置であって、
前記撮像画像中の指定された領域内を指す第１の指標を前記撮像装置にて撮像された前記撮像画像から検出する指標検出手段と、
前記外部装置に前記電子データを出力している状態において前記指標検出手段が前記第１の指標を検出しない場合に前記撮像画像を前記外部装置に出力する画像出力手段とを有することを特徴とする画像配信装置。
【請求項４】
電子データを表示している表示手段を撮像装置によって撮像した撮像画像及び前記表示手段に表示している電子データを外部装置に出力する画像配信装置であって、
前記電子データに表示される第２の指標を検出する指標検出手段と、
前記外部装置に前記電子データを出力している状態において前記指標検出手段が前記第２の指標を検出しない場合に前記撮像画像を前記外部装置に出力する画像出力手段とを有することを特徴とする画像配信装置。
【請求項５】
前記指標検出手段は、前記撮像画像中の指定された領域内を指す前記第１の指標を前記撮像装置にて撮像された前記撮像画像から検出するとともに、前記電子データに表示された第２の指標を前記電子データから検出し、
前記画像出力手段は、前記外部装置に前記電子データを出力している状態において前記第１の指標及び前記第２の指標のいずれも検出しない場合に前記撮像画像を前記外部装置に出力することを特徴とする請求項３に記載の画像配信装置。
【請求項６】
前記表示手段に表示している前記電子データに前記第２の指標を表示させる指標入力手段を更に有し、
前記指標検出手段は、前記指標入力手段によって前記電子データに表示される前記第２の指標を前記指標入力手段の操作に基づき検出することを特徴とする請求項２又は４に記載の画像配信装置。
【請求項７】
前記撮像画像から人物を抽出する抽出手段と、
前記抽出手段が抽出した人物の所定の動作を検出する動作認識手段とを更に有し、
前記画像出力手段は、前記外部装置に前記電子データを出力している状態において、前記指標検出手段が前記第１の指標を検出せず、かつ、前記動作認識手段が前記所定の動作を検出した場合に前記撮像画像を前記外部装置に出力することを特徴とする請求項３に記載の画像配信装置。
【請求項８】
前記撮像画像から人物を抽出する抽出手段と、
前記抽出手段が抽出した人物の所定の動作を検出する動作認識手段とを更に有し、
前記画像出力手段は、前記外部装置に前記電子データを出力している状態において、前記指標検出手段が前記第２の指標を検出せず、かつ、前記動作認識手段が前記所定の動作を検出した場合に前記撮像画像を前記外部装置に出力することを特徴とする請求項４に記載の画像配信装置。
【請求項９】
前記画像出力手段は、前記外部装置に前記電子データを出力している状態において前記第１の指標及び前記第２の指標のいずれも検出されなくなってから所定の時間が経過した場合に前記撮像画像を前記外部装置に出力することを特徴とする請求項５に記載の画像配信装置。
【請求項１０】
前記画像出力手段は、前記外部装置に前記撮像画像を出力している状態において前記指標検出手段が前記第１の指標を検出した場合に、前記電子データから生成する画像を前記撮像画像に比して大きくして前記電子データ及び前記撮像画像を前記外部装置に出力することを特徴とする請求項１に記載の画像配信装置。
【請求項１１】
前記画像出力手段は、前記外部装置に前記撮像画像を出力している状態において前記指標検出手段が前記第２の指標を検出した場合に、前記電子データから生成する画像を前記撮像画像に比して大きくして前記電子データ及び前記撮像画像を前記外部装置に出力することを特徴とする請求項２に記載の画像配信装置。
【請求項１２】
前記指標検出手段に、前記第１の指標を検出するための前記撮像画像における領域である検出領域を入力する検出領域入力手段を更に有することを特徴とする請求項１又は３に記載の画像配信装置。
【請求項１３】
前記指標検出手段は、複数の前記撮像装置にて撮像された撮像画像から前記第１の指標を検出することを特徴とする請求項１又は３に記載の画像配信装置。
【請求項１４】
電子データを表示している表示手段を撮像装置によって撮像した撮像画像及び前記表示手段に表示している電子データを外部装置に出力する画像配信方法であって、
前記撮像画像中の指定された領域内を指す第１の指標を前記撮像装置にて撮像された前記撮像画像から検出する指標検出ステップと、
前記外部装置に前記撮像画像を出力している状態において、前記指標検出ステップにおいて前記第１の指標を検出した場合に前記電子データを前記外部装置に出力する画像出力ステップとを有することを特徴とする画像配信方法。
【請求項１５】
電子データを表示している表示手段を撮像装置によって撮像した撮像画像及び前記表示手段に表示している電子データを外部装置に出力する画像配信方法であって、
前記電子データに表示される第２の指標を検出する指標検出ステップと、
前記外部装置に前記撮像画像を出力している状態において、前記指標検出ステップにおいて前記第２の指標を検出した場合に前記電子データを前記外部装置に出力する画像出力ステップとを有することを特徴とする画像配信方法。
【請求項１６】
電子データを表示している表示手段を撮像装置によって撮像した撮像画像及び前記表示手段に表示している電子データを外部装置に出力するコンピュータに、
前記撮像画像中の指定された領域内を指す第１の指標を前記撮像装置にて撮像された前記撮像画像から検出する指標検出手順と、
前記外部装置に前記撮像画像を出力している状態において、前記指標検出手順において前記第１の指標を検出した場合に前記電子データを前記外部装置に出力する画像出力手順とを実行させるためのプログラム。
【請求項１７】
電子データを表示している表示手段を撮像装置によって撮像した撮像画像及び前記表示手段に表示している電子データを外部装置に出力するコンピュータに、
前記電子データに表示される第２の指標を検出する指標検出手順と、
前記外部装置に前記撮像画像を出力している状態において、前記指標検出手順において前記第２の指標を検出した場合に前記電子データを前記外部装置に出力する画像出力手順とを実行させるためのプログラム。
【手続補正２】
【補正対象書類名】明細書
【補正対象項目名】００１４
【補正方法】変更
【補正の内容】
【００１４】
本発明の画像配信装置は、例えば、電子データを表示している表示手段を撮像装置によって撮像した撮像画像及び前記表示手段に表示している電子データを外部装置に出力する画像配信装置であって、前記撮像画像中の指定された領域内を指す第１の指標を前記撮像装置にて撮像された前記撮像画像から検出する指標検出手段と、前記外部装置に前記撮像画像を出力している状態において前記指標検出手段が前記第１の指標を検出した場合に前記電子データを前記外部装置に出力する画像出力手段とを有することを特徴とする。
また、本発明の他の画像配信装置は、電子データを表示している表示手段を撮像装置によって撮像した撮像画像及び前記表示手段に表示している電子データを外部装置に出力する画像配信装置であって、前記電子データに表示される第２の指標を検出する指標検出手段と、前記外部装置に前記撮像画像を出力している状態において前記指標検出手段が前記第２の指標を検出した場合に前記電子データを前記外部装置に出力する画像出力手段とを有することを特徴とする。
また、本発明の他の画像配信装置は、電子データを表示している表示手段を撮像装置によって撮像した撮像画像及び前記表示手段に表示している電子データを外部装置に出力する画像配信装置であって、前記撮像画像中の指定された領域内を指す第１の指標を前記撮像装置にて撮像された前記撮像画像から検出する指標検出手段と、前記外部装置に前記電子データを出力している状態において前記指標検出手段が前記第１の指標を検出しない場合に前記撮像画像を前記外部装置に出力する画像出力手段とを有することを特徴とする。
また、本発明の他の画像配信装置は、電子データを表示している表示手段を撮像装置によって撮像した撮像画像及び前記表示手段に表示している電子データを外部装置に出力する画像配信装置であって、前記電子データに表示される第２の指標を検出する指標検出手段と、前記外部装置に前記電子データを出力している状態において前記指標検出手段が前記第２の指標を検出しない場合に前記撮像画像を前記外部装置に出力する画像出力手段とを有することを特徴とする。